(57)【特許請求の範囲】
【請求項１】
入力イベントを検出し前記入力イベントを解析するイベント処理部と、
前記入力イベントが画面のスクロールを発生させるイベントであることを認識するスクロール認識部と、
画面のスクロール実行前の画面上に描画されている部分と描画されていない部分の境界を表す描画境界条件と画面のスクロール方向とから画面のスクロール実行後の画面上に描画されている部分と描画されていない部分の境界を表す新たな描画境界条件を決定する描画境界条件決定部と、
前記描画境界条件を格納する描画境界条件格納部と、
画面を描画するための各種画像情報を保持する表示内容格納部と、
前記描画境界条件と前記画面のスクロール方向に従って描画順序を決定し描画処理を行う描画処理部と
を有し、
前記描画処理部を、画面のスクロールの方向にもっとも近く前記スクロールにより新たに表示される選択項目をまず描画し、ついで画面のスクロール方向の反対方向に隣接する選択項目を順次描画して画面上の必要な選択項目を更新するよう構成した
表示処理装置。
【請求項２】
入力イベントを検出し前記入力イベントを解析するイベント処理部と、
前記入力イベントが画面のスクロールを発生させるイベントであることを認識するスクロール認識部と、
画面のスクロール実行前の画面上に描画されている部分と描画されていない部分の境界を表す描画境界条件と画面のスクロール方向とから画面のスクロール実行後の画面上に描画されている部分と描画されていない部分の境界を表す新たな描画境界条件を決定する描画境界条件決定部と、
前記描画境界条件を格納する描画境界条件格納部と、
画面を描画するための各種画像情報を保持する表示内容格納部と、
前記描画境界条件と前記画面のスクロール方向に従って描画順序を決定し描画処理を行う描画処理部と
を有し、前記描画処理部を、
一次元方向に並んだ選択項目の一部を画面上に表示している状態で、新たに表示させたい選択項目を画面上に表示させるように画面をスクロールさせる場合に、画面のスクロール方向に最も近く前記スクロールにより新たに表示される選択項目をまず描画し、ついで画面のスクロール方向の反対方向に隣接する選択項目を順次描画して画面上の必要な選択項目を更新するよう構成した
表示処理装置。
【請求項３】
前記描画境界条件および選択が可能な現在の選択項目を取得し、画面のスクロール処理後の状態を計算し、描画順序を決定する描画順序決定部を設け、
前記描画順序決定部を、
複数行複数列の配列の選択項目の一部を画面上に表示している状態で、新たに表示させたい選択項目を画面上に表示させるように画面をスクロールさせる場合に、画面のスクロール方向に最も近く前記スクロールにより新たに表示される選択項目行をまず描画し、次いで画面のスクロール方向の反対方向に隣接する選択項目行を順次描画して画面上の選択項目を更新するよう構成した
請求項１記載の表示処理装置。
【請求項４】
前記描画境界条件および選択が可能な現在の選択項目を取得し、画面のスクロール処理後の状態を計算し、描画順序を決定する描画順序決定部を設け、
前記描画順序決定部を、
複数行複数列の配列の選択項目の一部を画面上に表示している状態で、新たに表示させたい選択項目行を画面上に表示させるように画面をスクロールさせる場合に、
画面に表示されている現在の選択項目と選択が可能な現在の選択項目から、前記選択が可能な現在の選択項目に隣接し画面のスクロール方向に応じて決まる第１選択項目を特定し、この特定された第１選択項目をまず描画し、
前記複数行複数列の配列の選択項目の内で前記特定された第１選択項目が属する列の内で第１選択項目に対して前記画面のスクロール方向とは反対側に隣接した第２選択項目と、前記複数行複数列の配列の選択項目の内で前記第１選択項目が属する行の前記第１選択項目の両側に位置する第３選択項目とを描画し、
さらに画面のスクロール方向の反対方向へと選択項目群を順に描画して画面上の選択項目を更新するよう構成した
請求項１記載の表示処理装置。
【請求項５】
前記描画境界条件および選択が可能な現在の選択項目を取得し、画面のスクロール処理後の状態を計算し、描画順序を決定する描画順序決定部を設け、
前記描画順序決定部を、
各選択項目の上下方向は整列に選択項目が並んでいても、左右方向には選択項目が整列に並んでいない複数行複数列の配列の選択項目の一部を画面上に表示している状態で、新たに表示させたい選択項目を画面上に表示させるように前記上下方向に画面をスクロールする場合は、
前記選択が可能な現在の選択項目に隣接し画面のスクロール方向に応じて決まる選択項目を特定し、この特定された選択項目が属している列の第１選択項目群をまず描画し、
次いで前記第１選択項目群の両隣の第２選択項目群と第３選択項目群を描画し、さらに隣の選択項目群へと順番に描画して画面上の選択項目を更新するよう構成した
請求項１記載の表示処理装置。
【発明の詳細な説明】
【０００１】
【発明の属する技術分野】
本発明は、ＡＶ機器やパソコンのようなグラフィックを表示する機能を持つ画面上に描画されたスクロールを伴う画面においてスクロールを実現する表示処理装置および表示処理方法に関する。
【０００２】
【従来の技術】
近年、グラフィックスを表示する機能を持ち、画面上でユーザとの入出力を行うＧＵＩ（グラフィカル・ユーザ・インターフェース）を用いたユーザ・インターフェースが普及してきている。パーソナルコンピュータにおけるユーザ・インターフェースは、マウスなどの入力装置を使用したポインタ入力であるのに対して、デジタルＣＳ端末やテレビジョン受像器やビデオテープレコーダ、テレビジョン受像器の本体の上部に載置して使用されるその他のセットトップボックスなどの家電商品では、リモコン入力が主流のため、スクロール操作は画面を構成する選択項目の一つづつが１つの単位として描画され、スクロールする方向に関わらず描画は先頭の項目から順に描画される。
【０００３】
【発明が解決しようとする課題】
具体的には、図９（ａ）に示すように選択項目５０１〜５０６の内の選択項目５０２〜５０４が画面上に表示されている状態で、目的とする選択項目５０１を画面に表示させるように上方向にスクロールさせる場合には利用者は操作性について違和感を感じないが、図９（ａ）における選択項目５０４が選択可能であることを表示するポインタとして反転表示されている状態から、目的とする選択項目５０５を画面に表示させるように下方向にスクロールした場合には、最初は図１０（ａ）に示すように先頭の選択項目５０３が最初に描画され、次いで図１０（ｂ）に示す選択項目５０４が描画されてから、図１０（ｃ）に示す選択項目５０５が最後に描画されて図９（ｂ）に示す描画状態になる。
【０００４】
このように、スクロールする方向（上記の場合には下方向スクロール）の場合に、特に描画速度の遅い家電商品では選択項目５０５の描画が遅れ、操作感が悪いといった問題がある。
【０００５】
【課題を解決するための手段】
本発明は、画面を構成する項目全体を１つの単位として制御・描画するのではなく、各項目の描画順序の管理を行い、描画処理部が描画順序を考慮して各項目を個別に制御することによって、描画順序を各項目毎に制御する。つまり、本発明を用いることにより、各選択項目毎に描画順序を細かく設定する。
【０００６】
本発明の請求項１記載の表示処理装置は、入力イベントを検出し前記入力イベントを解析するイベント処理部と、前記入力イベントが画面のスクロールを発生させるイベントであることを認識するスクロール認識部と、画面のスクロール実行前の画面上に描画されている部分と描画されていない部分の境界を表す描画境界条件と画面のスクロール方向とから画面のスクロール実行後の画面上に描画されている部分と描画されていない部分の境界を表す新たな描画境界条件を決定する描画境界条件決定部と、前記描画境界条件を格納する描画境界条件格納部と、画面を描画するための各種画像情報を保持する表示内容格納部と、前記描画境界条件と前記画面のスクロール方向に従って描画順序を決定し描画処理を行う描画処理部とを有し、前記描画処理部を、画面のスクロールの方向にもっとも近く前記スクロールにより新たに表示される選択項目をまず描画し、ついで画面のスクロール方向の反対方向に隣接する選択項目を順次描画して画面上の必要な選択項目を更新するよう構成したことを特徴とする。
【０００７】
請求項２記載の表示処理装置は、入力イベントを検出し前記入力イベントを解析するイベント処理部と、前記入力イベントが画面のスクロールを発生させるイベントであることを認識するスクロール認識部と、画面のスクロール実行前の画面上に描画されている部分と描画されていない部分の境界を表す描画境界条件と画面のスクロール方向とから画面のスクロール実行後の画面上に描画されている部分と描画されていない部分の境界を表す新たな描画境界条件を決定する描画境界条件決定部と、前記描画境界条件を格納する描画境界条件格納部と、画面を描画するための各種画像情報を保持する表示内容格納部と、前記描画境界条件と前記画面のスクロール方向に従って描画順序を決定し描画処理を行う描画処理部とを有し、前記描画処理部を、一次元方向に並んだ選択項目の一部を画面上に表示している状態で、新たに表示させたい選択項目を画面上に表示させるように画面をスクロールさせる場合に、画面のスクロール方向に最も近く前記スクロールにより新たに表示される選択項目をまず描画し、ついで画面のスクロール方向の反対方向に隣接する選択項目を順次描画して画面上の必要な選択項目を更新するよう構成したことを特徴とする。
【０００８】
請求項３記載の表示処理装置は、請求項１において、前記描画境界条件および選択が可能な現在の選択項目を取得し、画面のスクロール処理後の状態を計算し、描画順序を決定する描画順序決定部を設け、前記描画順序決定部を、複数行複数列の配列の選択項目の一部を画面上に表示している状態で、新たに表示させたい選択項目を画面上に表示させるように画面をスクロールさせる場合に、画面のスクロール方向に最も近く前記スクロールにより新たに表示される選択項目行をまず描画し、次いで画面のスクロール方向の反対方向に隣接する選択項目行を順次描画して画面上の選択項目を更新するよう構成したことを特徴とする。
【０００９】
請求項４記載の表示処理装置は、請求項１において、前記描画境界条件および選択が可能な現在の選択項目を取得し、画面のスクロール処理後の状態を計算し、描画順序を決定する描画順序決定部を設け、前記描画順序決定部を、複数行複数列の配列の選択項目の一部を画面上に表示している状態で、新たに表示させたい選択項目行を画面上に表示させるように画面をスクロールさせる場合に、画面に表示されている現在の選択項目と選択が可能な現在の選択項目から、前記選択が可能な現在の選択項目に隣接し画面のスクロール方向に応じて決まる第１選択項目を特定し、この特定された第１選択項目をまず描画し、前記複数行複数列の配列の選択項目の内で前記特定された第１選択項目が属する列の内で第１選択項目に対して前記画面のスクロール方向とは反対側に隣接した第２選択項目と、前記複数行複数列の配列の選択項目の内で前記第１選択項目が属する行の前記第１選択項目の両側に位置する第３選択項目とを描画し、さらに画面のスクロール方向の反対方向へと選択項目群を順に描画して画面上の選択項目を更新するよう構成したことを特徴とする。
【００１１】
請求項５記載の表示処理装置は、請求項１において、前記描画境界条件および選択が可能な現在の選択項目を取得し、画面のスクロール処理後の状態を計算し、描画順序を決定する描画順序決定部を設け、前記描画順序決定部を、各選択項目の上下方向は整列に選択項目が並んでいても、左右方向には選択項目が整列に並んでいない複数行複数列の配列の選択項目の一部を画面上に表示している状態で、新たに表示させたい選択項目を画面上に表示させるように前記上下方向に画面をスクロールする場合は、前記選択が可能な現在の選択項目に隣接し画面のスクロール方向に応じて決まる選択項目を特定し、この特定された選択項目が属している列の第１選択項目群をまず描画し、次いで前記第１選択項目群の両隣の第２選択項目群と第３選択項目群を描画し、さらに隣の選択項目群へと順番に描画して画面上の選択項目を更新するよう構成したことを特徴とする。
【００１２】
【発明の実施の形態】
以下、本発明の各実施の形態を図１〜図８に基づいて説明する。
（実施の形態１）
図１〜図３は（実施の形態１）を示す。
この（実施の形態１）では前記図９（ａ）に示す状態から上方向にスクロールする場合には、従来と同じように先頭の項目から順に描画し、下方向にスクロールする場合には、図３（ａ）〜（ｃ）に示すように末尾の項目から順に描画する。詳しくは、スクロールの方向にもっとも近い選択項目５０５をまず描画し、ついでスクロールの方向の反対方向に隣接する選択項目５０４、選択項目５０３を順次描画して画面上の必要な選択項目を短時間で最新の状態に更新することができ、かつ入力に対して応答性の良いシステムを実現することができる。
【００１３】
図１は図３の描画方法を実現する表示処理装置を示す。
イベント処理部１０１は、入力イベントを受信し、入力イベントがあらわす意味を解析する。スクロール認識部１０２は、入力イベントが発生した画面がスクロールを行うかどうかを認識する。描画境界条件決定部１０３は、スクロール方向に従って、描画境界条件格納部１０４から現在の描画境界条件を取得し、新たな描画境界条件を決定し、描画境界条件格納部へ格納する。描画処理部１０５は、描画境界条件および画面内で着目されている項目の情報を表示内容格納部１０６から取得し、前記描画境界条件および前記スクロール方向に従って画面上の項目を順次描画していく。
【００１４】
この図１に示す表示処理装置のフローチャートを図２に示す。
なお、ここで記述する例は、画面を下方向にスクロールした場合を考える。その他の方向にスクロールした場合でも同様に考えられる。
（ステップ２０１）では、イベント処理部１０１は入力イベントが発生するとこの入力イベントを取得する。
【００１５】
（ステップ２０２）では、スクロール認識部１０２は前記入力イベントが画面スクロールをともなうイベントかどうかを確認し、スクロールをともなわない場合には図２に示したフローチャートを抜け入力イベント処理を終了する。
（ステップ２０２）でスクロールをともなうと判定された場合には（ステップ２０３）を実行する。（ステップ２０３）では、描画境界条件決定部１０３は描画境界条件格納部１０４から、現在画面上に描画されている画面の中で、画面上に描画されている部分と描画されていない部分の描画境界条件を取得する。
【００１６】
描画境界条件の例を示すと、図９（ａ）に示したスクロール前の状態においては、描画境界条件は描画されている項目の最初と最後の項目である選択項目５０２と選択項目５０４であると決める。
（ステップ２０４）では、描画境界条件決定部１０３は、前記描画境界条件をもとに、スクロール方向を考慮して、新しく画面上に描画すべき画面情報を計算し、画面上に描画されている部分と描画されていない部分の描画境界条件を、新たに計算する。
【００１７】
画面スクロールにより、画面を構成する項目は選択項目５０３〜５０５に変更になる。そのため、前記描画境界条件は描画されている項目の最初と最後の項目である項目５０３と項目５０５に変更となる。
（ステップ２０５）では、描画境界条件決定部１０３は、新しく計算した前記描画境界条件を、描画境界条件格納部１０４へ格納する。
【００１８】
（ステップ２０６）では、描画処理部１０５は、表示内容格納部１０６から画面を描画するための各種画面情報を取得し、前記描画境界条件をもとに必要な描画項目のみの描画を行う。その際、前記描画順序はスクロールの方向にもっとも近い項目つまり着目されている項目からスクロールの方向から反対方向へと決定する。
【００１９】
描画境界条件である選択項目５０３〜選択項目５０５の間に存在する選択項目５０３〜５０５が前記描画項目となり、その際の描画順序は、スクロールの方向にもっとも近い項目５０５をまず描画し、ついでスクロールの方向の反対方向に隣接する項目である項目５０４、項目５０３を順次描画していく。
このように、画面のスクロールが一次元方向のみで発生する場合に、画面のスクロール方向を考慮しながら画面上の必要な項目を短時間で最新の状態に更新することにより、入力に対して応答性の良いシステムを実現できる。
【００２０】
（実施の形態２）
図４〜図６は（実施の形態２）を示す。
この（実施の形態２）では図６（ａ）に示すように選択項目６０１〜６１２の内の選択項目６０１〜６１９を３×３に画面上に表示されている状態で、目的とする選択項目６１０〜６１２の何れかを画面に表示させるように下方向にスクロールさせる場合には、図６（ｂ）に示すように末尾の項目行であるＤ行６１６から順にＣ行６１５，Ｂ行６１４の順に描画する。
【００２１】
図４は図６の描画方法を実現する表示処理装置を示す。
イベント処理部３０１は、入力イベントを受信し、入力イベントがあらわす意味を解析する。スクロール認識部３０２は、入力イベントが発生した画面がスクロールを行うかどうかを認識する。描画境界条件決定部３０３は、スクロール方向に従って、描画境界条件格納部１０４から現在の描画境界条件を取得し、新たな描画境界条件を決定し、描画境界条件格納部へ格納する。
【００２２】
描画順序決定部３０５は、描画境界条件および画面内で着目されている項目情報を表示内容格納部３０６から取得し、スクロール処理後の状態を計算し、描画順序を決定する。
描画処理部３０７は、前記描画順序および前記描画境界条件に従って画面上の項目を順次描画していく。
【００２３】
この図４に示す表示処理装置のフローチャートを図５に示す。
なお、ここで記述する例は、画面を下方向にスクロールした場合を考える。その他の方向にスクロールした場合でも同様に考えられる。
（ステップ４０１）では、イベント処理部３０１は、入力イベントが発生すると前記入力イベントを取得する。（ステップ４０２）では、スクロール認識部３０２は、前記入力イベントが画面スクロールをともなうイベントかどうかを確認し、スクロールをともなわない場合には図５に示したフローチャートを抜け入力イベント処理を終了する。
【００２４】
（ステップ４０２）でスクロールをともなうと判定された場合には（ステップ４０３）を実行する。（ステップ４０３）では、描画境界条件決定部３０３は、描画境界条件格納部３０４から、現在画面上に描画されている画面の中で、画面上に描画されている部分と描画されていない部分の描画境界条件を取得する。
画面を構成する選択項目６０１〜６０９が画面上に表示されているとすると、前記描画境界条件は描画されている項目の最初と最後の選択項目であり、スクロール方向に垂直な項目群のＡ行６１３とＣ行６１５であると決める。
【００２５】
（ステップ４０４）では、描画境界条件決定部３０３は、前記描画境界条件をもとに、スクロール方向を考慮して、新しく画面上に描画すべき画面情報を計算し、画面上に描画されている部分と描画されていない部分の描画境界条件を、新たに計算する。
画面スクロールにより、画面を構成する選択項目は選択項目６０４〜６１２に変更になる。そのため、前記描画境界条件は描画されている選択項目の最初と最後の選択項目でありスクロール方向に垂直な選択項目群のＢ行６１４とＤ行６１６に変更となる。
【００２６】
（ステップ４０５）では、描画境界条件決定部３０３は、新しく計算した前記描画境界条件を、描画境界条件格納部３０４へ格納する。
（ステップ４０６）では、描画順序決定部３０５は、表示内容格納部３０６から各項目の画面情報を取得する。
（ステップ４０７）では、描画順序決定部３０５は、前記画面情報および前記描画境界条件をもとに、各項目の描画順序を決定する。
【００２７】
前記描画境界条件の中で、スクロールの方向にもっとも近い選択項目群、つまり着目されている選択項目を含む項目群から反対方向へと決定され、前記描画境界条件である項目群Ｂ行６１４から項目群Ｄ行６１６の間に存在する項目６０４〜６１２が前記描画選択項目となり、その際の描画順序は、スクロールの方向に最も近い選択項目群Ｄ行６１６をまず描画し、ついでスクロールの方向の反対方向に隣接する選択項目から順に選択項目群Ｃ行６１５、選択項目群Ｂ行６１４を描画していく。
【００２８】
（ステップ４０８）では、描画順序決定部３０５は、前記描画順序を表示内容格納部３０６に設定する。（ステップ４０９）では、描画処理部３０７は、前記描画順序をもとに必要な項目のみの描画を行う。
前記描画境界条件である選択項目群Ｂ行６１４から選択項目群Ｄ行６１６の間に存在する選択項目６０４〜６１２が前記描画選択項目となり、この例では、まず選択項目６１０〜６１２を描画し、ついで選択項目６０７〜６０９、その後に選択項目６０４〜６０６を描画する。また、前記選択項目群に含まれる各選択項目の順番を細かく決定することも可能である。
【００２９】
たとえば、選択項目６１０〜６１２の中の各項目の描画順序を、
選択項目６１１が選択可能であることを表示するポインタとして反転表示されている状態から、選択項目６１１を中心にして放射線状に、選択項目６１１、選択項目６１０、選択項目６１２というように描画順序を決定するなどである。選択項目群Ｃ行６１５、選択項目群Ｂ行６１４も同様である。
【００３０】
なお、（ステップ４０７）の例以外に、以下（１）（２）のように描画順序を決定することもできる。
（１）  図７を用いて前記描画順序を決定する例を示す。下方スクロール実施後の前記描画境界条件は選択項目群Ｂ行７１４と選択項目群Ｄ行７１６である。現在の選択可能な選択項目と指示されたスクロール方向に応じて、スクロール実施後に着目される選択項目を選択項目７１１とすると、その選択項目を頂点とする山型の線を図７のように記述する。同様に、着目されている選択項目のスクロール方向と反対方向の選択項目７１１、選択項目７０８、選択項目７０５、選択項目７０２へと必要に応じて山型の線を図７のように記述する。図７の例では、前記描画境界条件である選択項目群Ｂ行７１４から選択項目群Ｄ行７１６の間に存在する選択項目７０４〜７１２が前記描画選択項目となり、その際の描画順序は、山型の線の中でスクロールの方向に最も近い選択項目群Ｅ７１７をまず描画し、ついでスクロールの方向の反対方向へと順に選択項目群Ｆ７１８、選択項目群Ｇ７１９、選択項目群Ｈ７２０を描画していく。ただし、前記描画境界条件から外れた選択項目７０２は描画しない。また、前記選択項目群Ｅ７１７〜Ｈ７２０に含まれる各選択項目の描画順序を細かく決定することも可能である。
【００３１】
（２）  図８を用いて前記描画順序を決定する例を示す。この例は、電子プログラムガイド（ＥＰＧ）などのように各選択項目の上下方向は整列に並んでいても、左右方向には整列に並んでいないような選択項目を含む画面を、整列している選択項目の方向つまり図７における上下方向にスクロールする際に有効である。整列している選択項目の垂直方向、つまり図７における左右方向にスクロールする場合は、（ステップ４０７）に準じて前記描画順序を決定する。なお、整列している選択項目の垂直方向の前記描画境界条件は、整列している選択項目の単位（例えばＥＰＧなら時間）にもとづいて適当な値を設定する。
【００３２】
下方スクロール実施後に着目される選択項目を選択項目８０２とすると、その選択項目を含み、スクロール方向と同一な選択項目群Ｃ列をまず描画し、ついで両隣の選択項目群Ｂ列と選択項目群Ｄ列を描画する。さらに隣の選択項目群Ａ列を描画する。また、前記選択項目群Ａ〜Ｄに含まれる各選択項目の描画順序は、（ステップ２０６）に準じて、スクロール方向の選択項目からスクロール方向の反対側の選択項目へと描画したり、各選択項目毎に描画順序を決定するなどの細かい設定も可能である。
【００３３】
このように、（実施の形態１）のようにスクロール方向が一次元の場合に加えて、スクロール方向が二次元の場合でも、スクロール方向を考慮しながら、画面上の必要な選択項目を短時間で最新の状態に更新することができ、かつ入力に対して応答性の良いシステムを実現することが可能である。
よって本発明では、ユーザの入力に対して応答性の良いシステムを実現することが可能となり、その実用的効果は大きい。
【００３４】
上記の各実施の形態の図２または図５に示すフローチャートまたは図７と図８に示す描画処理を実行するのに必要なプログラムは、記録媒体に記録することによって流通し、この記録媒体のプログラムを読み込んで実行することによって、本発明の描画処理を実現できる。
【００３５】
【発明の効果】
以上のように本発明によれば、スクロールする方向に関わらず、スクロールすることによって新たに画面上に表示される選択項目から順番に描画することが出来る。そのため、着目している部分から順番に描画することが可能となる。また、スクロールを繰り返す場合でも、着目している部分は最初に描画されるため、次のスクロール動作へ円滑に移行できるものである。
【図面の簡単な説明】
【図１】本発明の（実施の形態１）の表示処理装置における構成図
【図２】同実施の形態のフローチャート図
【図３】同実施の形態の表示処理装置の描画処理過程の説明図
【図４】本発明の（実施の形態２）の表示処理装置における構成図
【図５】同実施の形態のフローチャート図
【図６】同実施の形態の表示処理装置の描画処理過程の説明図
【図７】同実施の形態の表示処理装置の変形例の描画処理過程の説明図
【図８】同実施の形態の表示処理装置の別の変形例の描画処理過程の説明図
【図９】従来の表示処理装置の描画処理のスクロール前後の画面の説明図
【図１０】同従来例の描画処理過程の説明図
【符号の説明】
１０１  イベント処理部
１０２  スクロール認識部
１０３  描画順序決定部
１０４  描画境界条件格納部
１０５  描画処理部
１０６  表示内容格納部
２０１  入力イベント取得
２０２  画面スクロールの有無の認識
２０３  描画境界条件の取得
２０４  描画境界条件の計算
２０５  描画境界条件の設定
２０６  描画処理
３０１  イベント処理部
３０２  スクロール認識部
３０３  描画順序決定部
３０４  描画境界条件格納部
３０５  描画順序決定部
３０６  表示内容格納部
３０７  描画処理部
４０１  入力イベント取得
４０２  画面スクロールの有無の認識
４０３  描画境界条件の取得
４０４  描画境界条件の計算
４０５  描画境界条件の設定
４０６  画面情報の取得
４０７  描画順序の計算
４０８  描画順序の設定
４０９  描画処理
【図１】
0004330233.tif 000002
【図２】
0004330233.tif 000003
【図３】
0004330233.tif 000004
【図４】
0004330233.tif 000005
【図５】
0004330233.tif 000006
【図６】
0004330233.tif 000007
【図７】
0004330233.tif 000008
【図８】
0004330233.tif 000009
【図９】
0004330233.tif 000010
【図１０】
0004330233.tif 000011